(57)【要約】  本発明は、通信ネットワークの基地局において、その基地局によってサービス提供されるそれぞれのユーザ機器に関してｅＰＤＣＣＨのリソース・エレメント・マッピングを実行するための方法および装置を提供する。具体的には、基地局はまず、それぞれのユーザ機器に関するリソース・エレメント・マッピング・パターンを特定し、その特定されたリソース・エレメント・マッピング・パターンに基づいてリソース・エレメント・マッピングを実行し、リソース・エレメント・マッピング・パターンは、レガシー信号に対応するリソース・エレメントを除外することによってｅＰＤＣＣＨに関するリソース・エレメント・マッピングを実行すること、またはレガシー信号に対応するリソース・エレメントをパンクチャすることによってｅＰＤＣＣＨに関するリソース・エレメント・マッピングを実行することを含み、次いで基地局は、それぞれのユーザ機器に関して特定されたリソース・エレメント・マッピング・パターンに関する情報、およびダウンリンク制御シグナリングをそれぞれのユーザ機器へ送信する。本発明はさらに、通信ネットワークのユーザ機器において、ｅＰＤＣＣＨデコーディングを実行するための方法および装置と、通信ネットワークの基地局において、強化されたリソース・エレメント・グループのサイズをユーザ機器に通知する方法と、通信ネットワークの基地局において、マッピング・パターンをユーザ機器に通知する方法とを提供する。
2015520988.tif 000002
【特許請求の範囲】
【請求項１】
通信ネットワークの基地局において、前記基地局によってサービス提供されるそれぞれのユーザ機器に関してｅＰＤＣＣＨのリソース・エレメント・マッピングを実行する方法であって、
ａ．前記それぞれのユーザ機器に関するリソース・エレメント・マッピング・パターンを特定し、前記特定されたリソース・エレメント・マッピング・パターンに基づいて前記リソース・エレメント・マッピングを実行するステップであり、前記リソース・エレメント・マッピング・パターンが、レガシー信号に対応するリソース・エレメントを除外することによって前記ｅＰＤＣＣＨに関する前記リソース・エレメント・マッピングを実行すること、または前記レガシー信号に対応する前記リソース・エレメントをパンクチャすることによって前記ｅＰＤＣＣＨに関する前記リソース・エレメント・マッピングを実行することを含む、ステップと、
ｂ．前記それぞれのユーザ機器に関して特定された前記リソース・エレメント・マッピング・パターンに関する情報、およびダウンリンク制御シグナリングを前記それぞれのユーザ機器へ送信するステップとを含む方法。
【請求項２】
前記レガシー信号がプライマリー／セカンダリー同期信号またはセル参照信号またはブロードキャスト信号である場合に、前記ステップａにおいて前記それぞれのユーザ機器に関して特定された前記リソース・エレメント・マッピング・パターンが、前記レガシー信号に対応する前記リソース・エレメントを除外することによって前記ｅＰＤＣＣＨに関する前記リソース・エレメント・マッピングを実行すること、または前記レガシー信号に対応する前記リソース・エレメントをパンクチャすることによって前記ｅＰＤＣＣＨに関する前記リソース・エレメント・マッピングを実行することである、請求項１に記載の方法。
【請求項３】
前記レガシー信号が位置参照信号またはチャネル・ステータス情報参照信号である場合に、前記ステップａにおいて前記それぞれのユーザ機器のうちで前記レガシー信号を伴って構成されているユーザ機器に関して特定された前記リソース・エレメント・マッピング・パターンが、前記レガシー信号に対応する前記リソース・エレメントを除外することによって前記ｅＰＤＣＣＨに関する前記リソース・エレメント・マッピングを実行すること、または前記レガシー信号に対応する前記リソース・エレメントをパンクチャすることによって前記ｅＰＤＣＣＨに関する前記リソース・エレメント・マッピングを実行することである、請求項１に記載の方法。
【請求項４】
前記レガシー信号が位置参照信号またはチャネル・ステータス情報参照信号である場合に、前記ステップａにおいて前記それぞれのユーザ機器のうちで前記レガシー信号を伴わずに構成されているユーザ機器に関して特定された前記リソース・エレメント・マッピング・パターンが、前記レガシー信号に対応する前記リソース・エレメントを除外することによって前記ｅＰＤＣＣＨに関する前記リソース・エレメント・マッピングを実行すること、または前記レガシー信号に対応する前記リソース・エレメントをパンクチャすることによって前記ｅＰＤＣＣＨに関する前記リソース・エレメント・マッピングを実行することである、請求項１に記載の方法。
【請求項５】
前記ステップｂが、
前記レガシー信号が前記位置参照信号である場合に、前記レガシー信号を伴わずに構成されている前記ユーザ機器に、前記位置参照信号が存在しているサブフレームに関する情報を通知するステップと、
前記レガシー信号が前記チャネル・ステータス情報参照信号である場合に、前記レガシー信号を伴わずに構成されている前記ユーザ機器に、前記チャネル・ステータス情報参照信号が存在しているサブフレームおよび前記チャネル・ステータス情報参照信号によって占められているリソース・エレメントに関する情報を通知するステップとをさらに含む、請求項４に記載の方法。
【請求項６】
通信ネットワークのユーザ機器において、ｅＰＤＣＣＨデコーディングを実行する方法であって、
Ａ．リソース・エレメント・マッピング・パターンに関する情報を基地局から受信するステップであり、前記リソース・エレメント・マッピング・パターンが、レガシー信号に対応するリソース・エレメントを除外することによってｅＰＤＣＣＨに関するリソース・エレメント・マッピングを実行すること、または前記レガシー信号に対応する前記リソース・エレメントをパンクチャすることによって前記ｅＰＤＣＣＨに関する前記リソース・エレメント・マッピングを実行することを含む、ステップと、
Ｂ．前記リソース・エレメント・マッピング・パターンに関する前記情報に基づいて前記ｅＰＤＣＣＨデコーディングを実行するステップとを含む方法。
【請求項７】
前記レガシー信号がプライマリー／セカンダリー同期信号またはセル参照信号またはブロードキャスト信号である場合に、
前記ステップＢが、
前記リソース・エレメント・マッピング・パターンが、前記レガシー信号に対応する前記リソース・エレメントを除外することによって前記ｅＰＤＣＣＨに関する前記リソース・エレメント・マッピングを実行することである場合に、レート・マッチング方式で前記ｅＰＤＣＣＨデコーディングを実行するステップと、
前記リソース・エレメント・マッピング・パターンが、前記レガシー信号に対応する前記リソース・エレメントをパンクチャすることによって前記ｅＰＤＣＣＨに関する前記リソース・エレメント・マッピングを実行することである場合に、パンクチャリング・パターンで前記ｅＰＤＣＣＨデコーディングを実行するステップとを含む、請求項６に記載の方法。
【請求項８】
前記レガシー信号が位置参照信号またはチャネル・ステータス情報参照信号であり、前記ユーザ機器が、前記レガシー信号を伴って構成されているユーザ機器である場合に、
前記ステップＢが、
前記リソース・エレメント・マッピング・パターンが、前記レガシー信号に対応する前記リソース・エレメントを除外することによって前記ｅＰＤＣＣＨに関する前記リソース・エレメント・マッピングを実行することである場合に、レート・マッチング方式で前記ｅＰＤＣＣＨデコーディングを実行するステップと、
前記リソース・エレメント・マッピング・パターンが、前記レガシー信号に対応する前記リソース・エレメントをパンクチャすることによって前記ｅＰＤＣＣＨに関する前記リソース・エレメント・マッピングを実行することである場合に、パンクチャリング・パターンで前記ｅＰＤＣＣＨデコーディングを実行するステップとを含む、請求項６に記載の方法。
【請求項９】
前記レガシー信号が位置参照信号またはチャネル・ステータス情報参照信号であり、前記ユーザ機器が、前記レガシー信号を伴わずに構成されているユーザ機器である場合に、
前記ステップＡが、
前記レガシー信号が前記位置参照信号である場合に、前記位置参照信号が存在しているサブフレームに関する情報を前記基地局から受信するステップと、
レガシー信号が前記チャネル・ステータス情報参照信号である場合に、前記チャネル・ステータス情報参照信号が存在しているサブフレームおよび前記チャネル・ステータス情報参照信号によって占められているリソース・エレメントに関する情報を前記基地局から受信するステップとをさらに含み、
前記ステップＢが、
前記リソース・エレメント・マッピング・パターンが、前記レガシー信号に対応する前記リソース・エレメントを除外することによって前記ｅＰＤＣＣＨに関する前記リソース・エレメント・マッピングを実行することである場合に、レート・マッチング方式で前記ｅＰＤＣＣＨデコーディングを実行するステップと、
前記リソース・エレメント・マッピング・パターンが、前記レガシー信号に対応する前記リソース・エレメントをパンクチャすることによって前記ｅＰＤＣＣＨに関する前記リソース・エレメント・マッピングを実行することである場合に、パンクチャリング・パターンで前記ｅＰＤＣＣＨデコーディングを実行するステップとを含む、請求項６に記載の方法。
【請求項１０】
通信ネットワークの基地局において、強化されたリソース・エレメント・グループのサイズをユーザ機器に通知する方法であって、
Ｉ．前記強化されたリソース・エレメント・グループの前記サイズをインターリービングの複雑さに基づいて特定するステップと、
ＩＩ．前記強化されたリソース・エレメント・グループの前記特定されたサイズに関する情報を前記ユーザ機器に通知するステップとを含む方法。
【請求項１１】
強化された制御チャネル・エレメントのサイズが３６個のリソース・エレメントに等しい場合には、前記強化されたリソース・エレメント・グループの前記サイズとリソース・エレメントとの間における関係は、
−  ２個のリソース・エレメントに等しい、
−  ４個のリソース・エレメントに等しい、
−  ６個のリソース・エレメントに等しい、
−  ９個のリソース・エレメントに等しい、および
−  １８個のリソース・エレメントに等しい、のうちのいずれか１つである、請求項１０に記載の方法。
【請求項１２】
通信ネットワークの基地局において、マッピング・パターンをユーザ機器に通知する方法であって、
ｉ．リソース・エレメント・マッピング中のレガシー信号とのコリジョンの程度に基づいてリソース・エレメント・マッピング・パターンを特定するステップであり、前記リソース・エレメント・マッピング・パターンが、周波数優先または時間優先を含む、ステップと、
ｉｉ．前記特定されたリソース・エレメント・マッピング・パターンを前記ユーザ機器に通知するステップとを含む方法。
【請求項１３】
前記ステップｉが、
−  前記リソース・エレメント・マッピング中の前記レガシー信号とのコリジョンの前記程度がしきい値を上回っているかどうかを特定するステップと、
−  特定結果が肯定的である場合には、前記リソース・エレメント・マッピング・パターンは周波数優先であると特定するステップ、または
−  前記特定結果が否定的である場合には、前記リソース・エレメント・マッピング・パターンは時間優先であると特定するステップとを含む、請求項１２に記載の方法。
【請求項１４】
通信ネットワークの基地局において、前記基地局によってサービス提供されるそれぞれのユーザ機器に関してｅＰＤＣＣＨのリソース・エレメント・マッピングを実行するための装置であって、
前記それぞれのユーザ機器に関するリソース・エレメント・マッピング・パターンを特定するように、および前記特定されたリソース・エレメント・マッピング・パターンに基づいて前記リソース・エレメント・マッピングを実行するように構成されているマッピング・モジュールであり、前記リソース・エレメント・マッピング・パターンが、レガシー信号に対応するリソース・エレメントを除外することによって前記ｅＰＤＣＣＨに関する前記リソース・エレメント・マッピングを実行すること、または前記レガシー信号に対応する前記リソース・エレメントをパンクチャすることによって前記ｅＰＤＣＣＨに関する前記リソース・エレメント・マッピングを実行することを含む、マッピング・モジュールと、
前記それぞれのユーザ機器に関して特定された前記リソース・エレメント・マッピング・パターンに関する情報、およびダウンリンク制御シグナリングを前記それぞれのユーザ機器へ送信するように構成されている送信モジュールとを含む装置。
【請求項１５】
通信ネットワークのユーザ機器において、ｅＰＤＣＣＨデコーディングを実行するための装置であって、
リソース・エレメント・マッピング・パターンに関する情報を基地局から受信するように構成されている受信モジュールであり、前記リソース・エレメント・マッピング・パターンが、レガシー信号に対応するリソース・エレメントを除外することによってｅＰＤＣＣＨに関するリソース・エレメント・マッピングを実行すること、または前記レガシー信号に対応する前記リソース・エレメントをパンクチャすることによって前記ｅＰＤＣＣＨに関する前記リソース・エレメント・マッピングを実行することを含む、受信モジュールと、
前記リソース・エレメント・マッピング・パターンに関する前記情報に基づいて前記ｅＰＤＣＣＨデコーディングを実行するように構成されているデコーディング・モジュールとを含む装置。
【発明の詳細な説明】
【技術分野】
【０００１】
本開示は、通信ネットワークに関し、特に、通信ネットワークの基地局において、その基地局によってサービス提供されるそれぞれのユーザ機器に関してｅＰＤＣＣＨ（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）のリソース・エレメント・マッピングを実行するための方法および装置、ならびに通信ネットワークのユーザ機器においてｅＰＤＣＣＨをデコードするための方法および装置に関する。
【背景技術】
【０００２】
３ＧＰＰリリース１１においては、ｅＰＤＣＣＨの設計は、ｅＩＣＩＣ（ｅｎｈａｎｃｅ  Ｉｎｔｅｒｆｅｒｅｎｃｅ  Ｃｏｏｒｄｉｎａｔｉｏｎ）、新たなキャリアアグリゲーションによって強化されたキャリア・タイプ、ＣｏＭＰ（Ｃｏｏｒｄｉｎａｔｅｄ  Ｍｕｌｔｉ−Ｐｏｉｎｔ）、およびＤＬ  ＭＩＭＯ（Ｄｏｗｎｌｉｎｋ  Ｍｕｌｔｉ−Ｉｎｐｕｔ  Ｍｕｌｔｉ−Ｏｕｔｐｕｔ）の考慮に基づいて論じられている。３ＧＰＰリリース１１における議論に基づいて、ｅＰＤＣＣＨは、レガシーＰＤＳＣＨ（Ｐｈｙｓｉｃａｌ  Ｄｏｗｎｌｉｎｋ  Ｓｈａｒｅｄ  Ｃｈａｎｎｅｌ）に配置されることになる。ＰＤＳＣＨそのもののいくつかの特徴によって、ｅＰＤＣＣＨのマッピング・ルールの設計と、レガシーＰＤＣＣＨのマッピング・ルールの設計との間においていくつかの相違が生じる結果となる。
【発明の概要】
【発明が解決しようとする課題】
【０００３】
このことを考慮すると、ｅＰＤＣＣＨに関する新たな設計ルールを設計する必要がある。
【課題を解決するための手段】
【０００４】
下記の考慮事項を考慮に入れて、ｅＰＤＣＣＨに関する新たな設計ルールが設計される。
−  強化された制御チャネル・エレメント（ｅＣＣＥ）／強化されたリソース・エレメント・グループ（ｅＲＥＧ）の定義、
−  リソース・エレメント（ＲＥ）マッピング・パターン、すなわち、周波数優先か、または時間優先か、および
−  レガシー信号、たとえば、プライマリー同期信号（ＰＳＳ）／セカンダリー同期信号（ＳＳＳ）、セル参照信号（ＣＲＳ）、ブロードキャスト・チャネル（ＰＢＣＨ）、位置参照信号（ＰＲＳ）、チャネル・ステータス情報参照信号（ＣＳＩ−ＲＳ）などとのコリジョンを考慮に入れるＲＥマッピング・パターン。
【０００５】
上述の考慮事項を考慮して、本発明の一態様においては、本発明は、通信ネットワークの基地局において、その基地局によってサービス提供されるそれぞれのユーザ機器に関してｅＰＤＣＣＨのリソース・エレメント・マッピングを実行する方法であって、それぞれのユーザ機器に関するリソース・エレメント・マッピング・パターンを特定し、その特定されたリソース・エレメント・マッピング・パターンに基づいてリソース・エレメント・マッピングを実行するステップであり、リソース・エレメント・マッピング・パターンが、レガシー信号に対応するリソース・エレメントを除外することによってｅＰＤＣＣＨに関するリソース・エレメント・マッピングを実行すること、またはレガシー信号に対応するリソース・エレメントをパンクチャすることによってｅＰＤＣＣＨに関するリソース・エレメント・マッピングを実行することを含む、ステップと、それぞれのユーザ機器に関して特定されたリソース・エレメント・マッピング・パターンに関する情報、およびダウンリンク制御シグナリングをそれぞれのユーザ機器へ送信するステップとを含む方法を一実施形態において提案する。
【０００６】
本発明は、通信ネットワークのユーザ機器において、ｅＰＤＣＣＨデコーディングを実行する方法であって、リソース・エレメント・マッピング・パターンに関する情報を基地局から受信するステップであり、リソース・エレメント・マッピング・パターンが、レガシー信号に対応するリソース・エレメントを除外することによってｅＰＤＣＣＨに関するリソース・エレメント・マッピングを実行すること、またはレガシー信号に対応するリソース・エレメントをパンクチャすることによってｅＰＤＣＣＨに関するリソース・エレメント・マッピングを実行することを含む、ステップと、リソース・エレメント・マッピング・パターンに関する情報に基づいてｅＰＤＣＣＨデコーディングを実行するステップとを含む方法を別の実施形態において提案する。
【０００７】
別の態様においては、本発明は、通信ネットワークの基地局において、強化されたリソース・エレメント・グループのサイズをユーザ機器に通知する方法であって、強化されたリソース・エレメント・グループのサイズをインターリービングの複雑さに基づいて特定するステップと、強化されたリソース・エレメント・グループの特定されたサイズに関する情報をユーザ機器に通知するステップとを含む方法を一実施形態において提案する。
【０００８】
さらなる一態様においては、本発明は、通信ネットワークの基地局において、マッピング・パターンをユーザ機器に通知する方法であって、リソース・エレメント・マッピング中のレガシー信号とのコリジョンの程度に基づいてリソース・エレメント・マッピング・パターンを特定するステップであり、リソース・エレメント・マッピング・パターンが、周波数優先または時間優先を含む、ステップと、特定されたリソース・エレメント・マッピング・パターンをユーザ機器に通知するステップとを含む方法を一実施形態において提案する。
【０００９】
さらなる一態様においては、本発明は、通信ネットワークの基地局において、その基地局によってサービス提供されるそれぞれのユーザ機器に関してｅＰＤＣＣＨのリソース・エレメント・マッピングを実行するための装置であって、それぞれのユーザ機器に関するリソース・エレメント・マッピング・パターンを特定するように、およびその特定されたリソース・エレメント・マッピング・パターンに基づいてリソース・エレメント・マッピングを実行するように構成されているマッピング・モジュールであり、リソース・エレメント・マッピング・パターンが、レガシー信号に対応するリソース・エレメントを除外することによってｅＰＤＣＣＨに関するリソース・エレメント・マッピングを実行すること、またはレガシー信号に対応するリソース・エレメントをパンクチャすることによってｅＰＤＣＣＨに関するリソース・エレメント・マッピングを実行することを含む、マッピング・モジュールと、それぞれのユーザ機器に関して特定されたリソース・エレメント・マッピング・パターンに関する情報、およびダウンリンク制御シグナリングをそれぞれのユーザ機器へ送信するように構成されている送信モジュールとを含む装置を一実施形態において提案する。
【００１０】
本発明は、通信ネットワークのユーザ機器において、ｅＰＤＣＣＨデコーディングを実行するための装置であって、リソース・エレメント・マッピング・パターンに関する情報を基地局から受信するように構成されている受信モジュールであり、リソース・エレメント・マッピング・パターンが、レガシー信号に対応するリソース・エレメントを除外することによってｅＰＤＣＣＨに関するリソース・エレメント・マッピングを実行すること、またはレガシー信号に対応するリソース・エレメントをパンクチャすることによってｅＰＤＣＣＨに関するリソース・エレメント・マッピングを実行することを含む、受信モジュールと、リソース・エレメント・マッピング・パターンに関する情報に基づいてｅＰＤＣＣＨデコーディングを実行するように構成されているデコーディング・モジュールとを含む装置を別の実施形態において提案する。
【００１１】
本発明のそれぞれの態様は、実施形態についての以降の説明から、より明らかになるであろう。
【００１２】
本発明の上述の特徴およびその他の特徴は、図面を参照しながら理解される非限定的な実施形態についての以降の詳細な説明を考察すれば、より明らかになるであろう。
【図面の簡単な説明】
【００１３】
【図１】本発明の一実施形態による、局所化された伝送モードに関する周波数優先／時間優先マッピング・パターンを示す図である。
【図２】本発明の一実施形態による、分散された伝送モードに関する周波数優先／時間優先マッピング・パターンを示す図である。
【図３】本発明の一実施形態による、通信ネットワークの基地局において、その基地局によってサービス提供されるそれぞれのユーザ機器に関してｅＰＤＣＣＨのリソース・エレメント・マッピングを実行する方法を示すフローチャートである。
【発明を実施するための形態】
【００１４】
同じまたは同様の参照番号は、それらの図面を通じて同じまたは同様のコンポーネントを示している。
【００１５】
本発明のそれぞれの実施形態を、主として、ｅＣＣＥ／ｅＲＥＧの定義、およびＲＥマッピング・パターン、およびレガシー信号とのコリジョンを考慮に入れるＲＥマッピング・ルールに関して説明する。
【００１６】
１．ｅＣＣＥ／ｅＲＥＧの定義
物理リソース・ブロック（ＰＲＢ）ペア内のＲＥの数を考慮すると、ｅＣＣＥあたり３６個のＲＥの、すなわち、１つのｅＣＣＥが３６個のＲＥを含むサイズを設計することが有利である。これは、レガシーＰＤＣＣＨ内のＣＣＥのサイズの設計と実質的に整合している。あるいは、ｅＣＣＥのサイズは、当業者なら理解できるように、基礎をなす設計原理から逸脱することなく、別のサイズ、たとえば７２個のＲＥであることも可能であるということに留意されたい。その説明を繰り返すことは、ここでは省略する。
【００１７】
ｅＣＣＥあたり３６個のＲＥのサイズを前提とすると、ｅＲＥＧとｅＣＣＥとの間における関係は、下記の選択肢を含むことができる。
−  ｅＣＣＥあたり１８個のｅＲＥＧ、およびｅＲＥＧあたり２個のＲＥ、
−  ｅＣＣＥあたり９個のｅＲＥＧ、およびｅＲＥＧあたり４個のＲＥ、
−  ｅＣＣＥあたり６個のｅＲＥＧ、およびｅＲＥＧあたり６個のＲＥ、
−  ｅＣＣＥあたり４個のｅＲＥＧ、およびｅＲＥＧあたり９個のＲＥ、ならびに
−  ｅＣＣＥあたり２個のｅＲＥＧ、およびｅＲＥＧあたり１８個のＲＥ。
【００１８】
ｅＣＣＥのサイズが特定されているということを前提とすると、ｅＲＥＧのサイズは、基地局とユーザ機器との間において事前に定義されることが可能であり、または実践において必要に応じて設定可能とすることができる。
【００１９】
ｅＲＥＧの設定可能なサイズのケースにおいては、基地局は、ｅＲＥＧのサイズをユーザ機器に通知することを必要とされる。具体的には、はじめに基地局は、ｅＲＥＧのサイズをインターリービングの複雑さに基づいて特定し、次いで基地局は、ｅＲＥＧの特定されたサイズに関する情報をユーザ機器に通知する。ｅＲＥＧのサイズに関する情報は、たとえばハイ・レイヤ・シグナリング（たとえば、ＲＲＣシグナリング）、またはブロードキャスト・シグナリングなどを介して、送信されることが可能である。
【００２０】
２．ＲＥマッピング・パターン
単に例示的な目的で、以降では例としてｅＣＣＥあたり４個のｅＲＥＧおよびｅＲＥＧあたり９個のＲＥを取り上げてＲＥマッピング・パターンについて説明する。
【００２１】
基地局とユーザ機器との間における局所化された伝送モードに関しては、ｅＲＥＧ／ｅＣＣＥが、対応するＰＲＢペアに順次マップされる。図１において示されているように、この伝送モードに関しては、時間優先または周波数優先のＲＥマッピング・パターンが選択されることが可能である。
【００２２】
基地局とユーザ機器との間における分散された伝送モードに関しては、ｅＲＥＧ／ｅＣＣＥが、周波数ダイバーシティーの利得のために、対応するＰＲＢペア上にマップされ、その上、それぞれのｅＲＥＧの間における周波数距離は、割り当てられたＰＲＢペアに基づいて、できるだけ大きく保持される。図２において示されているように、この伝送モードに関しては、やはり時間優先または周波数優先のＲＥマッピング・パターンが選択されることが可能である。
【００２３】
図１および図２において、
【００２４】
【数１】
2015520988.tif 000003
は、ＤＭ−ＲＳ（すなわち、復調参照信号）を表しており、
【００２５】
【数２】
2015520988.tif 000004
は、ｅＲＥＧ１／ｅＣＣＥ１（すなわち、ｅＣＣＥにおける第１のｅＲＥＧ）を表しており、
【００２６】
【数３】
2015520988.tif 000005
は、ｅＲＥＧ２／ｅＣＣＥ１（すなわち、ｅＣＣＥにおける第２のｅＲＥＧ）を表しており、
【００２７】
【数４】
2015520988.tif 000006
は、ｅＲＥＧ３／ｅＣＣＥ１（すなわち、ｅＣＣＥにおける第３のｅＲＥＧ）を表しており、
【００２８】
【数５】
2015520988.tif 000007
は、ｅＲＥＧ４／ｅＣＣＥ１（すなわち、ｅＣＣＥにおける第４のｅＲＥＧ）を表している。
【００２９】
具体的には、ＲＥマッピング中のレガシー信号とのコリジョンの程度に基づいてＲＥマッピング・パターンが特定されることが可能である。はじめに基地局は、ＲＥマッピング中のレガシー信号とのコリジョンの程度がしきい値を上回っているかどうかを特定し、特定結果が肯定的である場合には、ＲＥマッピング・パターンは時間優先であると特定され、または特定結果が否定的である場合には、ＲＥマッピング・パターンは周波数優先であると特定される。次いで基地局は、特定されたＲＥマッピング・パターンをユーザ機器に通知する。
【００３０】
３．レガシー信号とのコリジョンを考慮するＲＥマッピング・パターン
図３を参照すると、はじめにステップＳ３１において、基地局が、それぞれのユーザ機器に関するＲＥマッピング・パターンを特定し、その特定されたＲＥマッピング・パターンに基づいてＲＥマッピングを実行する。ＲＥマッピング・パターンは、レガシー信号に対応するＲＥを除外することによってｅＰＤＣＣＨに関するＲＥマッピングを実行すること、またはレガシー信号に対応するＲＥをパンクチャすることによってｅＰＤＣＣＨに関するＲＥマッピングを実行することを含む。
【００３１】
次いでステップＳ３２においては、基地局が、それぞれのユーザ機器に関して特定されたＲＥマッピング・パターンに関する情報、およびダウンリンク制御シグナリングをそれぞれのユーザ機器へ送信する。
【００３２】
ユーザ機器側においては、はじめにユーザ機器は、どの（１つまたは複数の）ＰＲＢペアを介してそのユーザ機器がｅＰＤＣＣＨを受信することになるかを基地局側から知り、次いでユーザ機器は、基地局側から受信されたＲＥマッピング・パターンに関する情報に基づいてｅＰＤＣＣＨデコーディングを実行する。
【００３３】
それぞれ例として別々のタイプのレガシー信号を取り上げて、以降の説明が提供される。
【００３４】
（１）レガシー信号が、ＰＳＳ／ＳＳＳ、ＣＲＳ、またはＰＢＣＨである場合。
【００３５】
この種類のレガシー信号に対応するＲＥの位置は、それぞれのユーザ機器に知られているため、好ましくは、基地局によって選択されるＲＥマッピング・パターンは、この種類のレガシー信号に対応するＲＥを除外することによってｅＰＤＣＣＨに関するＲＥマッピングを実行することであることが可能である。
【００３６】
それに対応してユーザ機器側においては、ユーザ機器は、基地局が、レガシー信号に対応するＲＥを除外することによってｅＰＤＣＣＨに関するＲＥマッピングを実行しているということを、基地局から受信されたＲＥマッピング・パターンに関する情報から知るため、ユーザ機器は、レート・マッチング方式でｅＰＤＣＣＨデコーディングを実行することになる。
【００３７】
もちろん、この種類のレガシー信号に関して、基地局は、別法として、この種類のレガシー信号に対応するＲＥをパンクチャすることによってｅＰＤＣＣＨに関するＲＥマッピングを実行することができる。次いでユーザ機器側においては、ユーザ機器は、パンクチャリング方式でｅＰＤＣＣＨデコーディングを実行することになる。
【００３８】
（２）レガシー信号がＰＲＳである場合。
【００３９】
このレガシー信号に関しては、ＰＲＳを伴って構成されているユーザ機器、およびＰＲＳを伴わずに構成されているユーザ機器についてそれぞれ、下記の論考を行う。
【００４０】
＜ＰＲＳを伴って構成されているユーザ機器＞
これらのユーザ機器のそれぞれに関して、そのユーザ機器は、自分用に構成されているＰＲＣの位置を知っているため、（１）において上述した内容が適用されることが可能であり、その説明を繰り返すことは、簡潔にするためにここでは省略する。
【００４１】
＜ＰＲＳを伴わずに構成されているユーザ機器＞
この状況では、一例において、ユーザ機器によって選択されるＲＥマッピング・パターンは、この種類のレガシー信号に対応するＲＥを除外することによってｅＰＤＣＣＨに関するＲＥマッピングを実行することであることが可能である。
【００４２】
ＰＲＳを伴わずに構成されているユーザ機器は、ＰＲＳを伴って構成されているその他のユーザ機器がどこでＰＲＳを伴って構成されているかを知らないため、基地局は、ＰＲＳを伴わずに構成されているこれらのユーザ機器に、選択されたＲＥマッピング・パターンに加えて、ＰＲＳが存在しているサブフレームに関する情報を通知する。
【００４３】
それに対応してユーザ機器側においては、ＰＲＳを伴わずに構成されているユーザ機器は、基地局から受信された、ＲＥマッピング・パターンに関する情報、およびＰＲＳが存在しているサブフレームに関する情報に従って、レート・マッチング方式でｅＰＤＣＣＨデコーディングを実行する。
【００４４】
別の例においては、基地局によって選択されるＲＥマッピング・パターンは、この種類のレガシー信号に対応するＲＥをパンクチャすることによってｅＰＤＣＣＨに関するＲＥマッピングを実行することであることが可能である。
【００４５】
同様に、ＰＲＳを伴わずに構成されているユーザ機器は、ＰＲＳを伴って構成されているその他のユーザ機器がどこでＰＲＳを伴って構成されているかを知らないため、基地局は、ＰＲＳを伴わずに構成されているこれらのユーザ機器に、選択されたＲＥマッピング・パターンに加えて、ＰＲＳが存在しているサブフレームに関する情報を通知する。
【００４６】
それに対応してユーザ機器側においては、ＰＲＳを伴わずに構成されているユーザ機器は、基地局から受信された、ＲＥマッピング・パターンに関する情報、およびＰＲＳが存在しているサブフレームに関する情報に従って、パンクチャリング方式でｅＰＤＣＣＨデコーディングを実行する。任意選択で、ｅＰＤＣＣＨデコーディングは、パンクチャされるＲＥがその他のＲＥに及ぼす影響をゼロに設定することによってパンクチャリング方式で実行されることが可能であり、それによって、ｅＰＤＣＣＨデコーディングの正確さがさらに改善される。
【００４７】
この例においては、基地局が、ＰＲＳを伴わずに構成されているこれらのユーザ機器に、ＰＲＳが存在しているサブフレームに関する情報を通知しない場合には、ＰＲＳを伴わずに構成されているユーザ機器は、別法として、通常どおりｅＰＤＣＣＨデコーディングを実行することができる。
【００４８】
（３）レガシー信号がＣＳＩ−ＲＳである場合。
【００４９】
この種類のレガシー信号に関しては、採用されるＲＥマッピング・パターンは、（２）において上述したＲＥマッピング・パターンと実質的に同様であり、相違点としては、ＣＳＩ−ＲＳを伴わずに構成されているユーザ機器に関して、ユーザ機器は、ＣＳＩ−ＲＳを伴わずに構成されているこれらのユーザ機器に、ＣＳＩ−ＲＳが存在しているサブフレームおよびＣＳＩ−ＲＳによって占められているＲＥに関する情報を通知する。
【００５０】
明らかに本発明は、上述の例示的な実施形態に限定されるものではなく、本発明の趣旨または本質から逸脱せずにその他の特定の形態において具体化されることが可能であるということを当業者なら理解するであろう。したがって、それらの実施形態は、いかなる場合にも例示的であり非限定的であるものと解釈されなければならない。請求項におけるいかなる参照番号も、当該請求項を限定するものと解釈されてはならない。その上、明らかに、「ｃｏｍｐｒｉｓｉｎｇ」という用語は、別の（１つもしくは複数の）要素または（１つもしくは複数の）ステップを排除せず、ある要素の前にある「ａ」または「ａｎ」という用語は、複数のかかる要素を排除しない。装置請求項において記載されている複数の要素は、別法として、単一の要素としてソフトウェアまたはハードウェアにおいて具体化されることが可能である。「第１の」、「第２の」などの用語は、名前を示すことを意図されているが、何らかの特定の順序を暗示することは意図されていない。
【図１】
2015520988.tif 000008
【図２】
2015520988.tif 000009
【図３】
2015520988.tif 000010
【国際調査報告】
2015520988.tif 000011
2015520988.tif 000012
2015520988.tif 000013
2015520988.tif 000014
2015520988.tif 000015
2015520988.tif 000016
2015520988.tif 000017